(57)【要約】  【課題】  ユーザを学習させる情報を提示する情報提示装置を提示する。  【解決手段】  情報提示装置１は、ユーザの行動を検知する行動検知部１０と、状況を検知する状況検知部１２と、状況とユーザの行動とを対応付けたユーザの行動履歴を記憶した履歴記憶部１４と、状況検知部１２にて検知した現在の状況と履歴記憶部１４に記憶された行動履歴とに基づいて、ユーザが次に行う行動を予測する行動予測部１６と、行動検知部１０からの検知情報に基づいて、ユーザが行動予測部１６にて求めた予測行動をとったか否かを判定する第１判定部１８と、第１判定部１８にて、ユーザが予測行動をとらなかったと判定されたときに、その行動が規範的行動記憶部に記憶された規範的行動であるか否かを判定する第２の判定部２０と、ユーザがとらなかった行動が規範的行動であると判定されたときに、ユーザに対して、その旨を通知する通知部２４とを備える。【選択図】  図１
2010185932.tif 000002
【特許請求の範囲】
【請求項１】
ユーザの行動を検知する行動検知部と、
状況を検知する状況検知部と、
状況とユーザの行動とを対応付けたユーザの行動履歴を記憶した履歴記憶部と、
前記状況検知部にて検知した現在の状況と前記履歴記憶部に記憶された行動履歴とに基づいて、ユーザが次に行う行動を予測する行動予測部と、
前記行動検知部からの検知情報に基づいて、ユーザが前記行動予測部にて求めた予測行動をとったか否かを判定する判定部と、
前記判定部にて、ユーザが前記予測行動をとらなかったと判定されたときに、ユーザに対して、その旨を通知する通知部と、
を備える情報提示装置。
【請求項２】
前記判定部は、前記行動予測部にて予測行動を求めてから所定の期間が経過するまで、あるいは、前記予測行動をとると予測される原因となった現在の状況が止むまでに、ユーザが予測行動をとらなかった場合に、予測行動をとらなかったと判定する請求項１に記載の情報提示装置。
【請求項３】
ユーザが行うことが望ましい行動であるとしてあらかじめ設定された規範的行動を記憶した規範的行動記憶部と、
前記判定部にて、ユーザが前記予測行動をとらなかったと判定されたときに、その行動が前記規範的行動記憶部に記憶された規範的行動であるか否かを判定する第２の判定部と、
を備え、
前記通知部は、前記第２の判定部にて、ユーザがとらなかった行動が前記規範的行動であると判定されたときに前記通知を行い、前記規範的行動でないと判定されたときに前記通知を行わない請求項１または２に記載の情報提示装置。
【請求項４】
前記第２の判定部にて、ユーザがとらなかった行動が前記規範的行動ではないと判定されたときに、ユーザの操作対象の装置に対して、ユーザがとらなかった行動に対応して実行される操作を実行するための制御信号を送信する機器制御部を備える請求項３に記載の情報提示装置。
【請求項５】
ユーザが必ず行うべき行動であるとしてあらかじめ設定された必須行動を状況に関連付けて記憶した必須行動記憶部と、
ユーザが前記必須行動記憶部に記憶された必須行動を行ったか否かを判定する第３の判定部と、
を備え、
前記通知部は、前記第３の判定部にてユーザが前記必須行動をとらなかったと判定されたときに、ユーザに対して、その旨を通知する請求項１〜４のいずれかに記載の情報提示装置。
【請求項６】
前記履歴記憶部に記憶された行動履歴のデータを出力する履歴出力部を備える請求項１〜５のいずれかに記載の情報提示装置。
【請求項７】
前記履歴出力部は、ユーザを特定する情報と共に、前記行動履歴のデータをセンター装置に送信する請求項６に記載の情報提示装置。
【請求項８】
ユーザの行動を検知する行動検知部と、状況を検知する状況検知部と、状況とユーザの行動とを対応付けて行動履歴を記憶した履歴記憶部とを有する情報提示装置において情報を提示する方法であって、
前記状況検知部にて検知した現在の状況と前記履歴記憶部に記憶された行動履歴とに基づいて、ユーザが次に行う行動を予測するステップと、
前記行動検知部からの検知情報に基づいて、ユーザが前記行動予測部にて求めた予測行動をとったか否かを判定するステップと、
ユーザが前記予測行動をとらなかったと判定されたときに、ユーザに対して、その旨を通知するステップと、
を備える情報提示方法。
【請求項９】
ユーザの行動を検知する行動検知部と、状況を検知する状況検知部と、状況とユーザの行動とを対応付けて行動履歴を記憶した履歴記憶部とを有するコンピュータによって情報を提示させるためのプログラムであって、前記コンピュータに、
前記状況検知部にて検知した現在の状況と前記履歴記憶部に記憶された行動履歴とに基づいて、ユーザが次に行う行動を予測するステップと、
前記行動検知部からの検知情報に基づいて、ユーザが前記行動予測部にて求めた予測行動をとったか否かを判定するステップと、
ユーザが前記予測行動をとらなかったと判定されたときに、ユーザに対して、その旨を通知するステップと、
を実行させるプログラム。
【発明の詳細な説明】
【技術分野】
【０００１】
本発明は、ユーザに対して情報を提示する装置に関し、特に、車両で用いられる装置に関する。
【背景技術】
【０００２】
従来から、車両における操作の利便性を向上させる装置として、ユーザの行動を予測して制御を行う装置が特許文献１等により提案されていた。特許文献１に記載された車両用予測制御装置は、メモリに記録された操作データに基づいて、シートベルトの装着操作、ウィンドウの開操作、灰皿開操作、エンジン始動操作等の操作を予測し、予測に基づく制御を行う。例えば、制御装置は、シートベルト装着の案内や、ウィンドウの自動開操作を行う。
【特許文献１】特開２００６−１４４３６５号公報（１０〜１３頁、図４）
【発明の開示】
【発明が解決しようとする課題】
【０００３】
上記公報に記載された制御装置は、ユーザのニーズを先取りして自動制御を行うので、利便性を高めることができる。しかし、その一方で、制御装置によって制御してもらうことに慣れてしまうと、本来ユーザが行うべき操作をユーザが全く行わなくなってしまうおそれがある。
【０００４】
そこで、本発明は、上記背景に鑑み、ユーザを学習させる情報を提示する情報提示装置を提供することを目的とする。
【課題を解決するための手段】
【０００５】
本発明の情報提示装置は、ユーザの行動を検知する行動検知部と、状況を検知する状況検知部と、状況とユーザの行動とを対応付けたユーザの行動履歴を記憶した履歴記憶部と、前記状況検知部にて検知した現在の状況と前記履歴記憶部に記憶された行動履歴とに基づいて、ユーザが次に行う行動を予測する行動予測部と、前記行動検知部からの検知情報に基づいて、ユーザが前記行動予測部にて求めた予測行動をとったか否かを判定する判定部と、前記判定部にて、ユーザが前記予測行動をとらなかったと判定されたときに、ユーザに対して、その旨を通知する通知部とを備える。
【０００６】
このようにユーザが予測行動をとらなかったときにその旨を通知することにより、ユーザが普段行っている行動をとっていないことを知らせ、ユーザに学習させることができる。
【０００７】
本発明の情報提示装置において、前記判定部は、前記行動予測部にて予測行動を求めてから所定の期間が経過するまで、あるいは、前記予測行動をとると予測される原因となった現在の状況が止むまでに、ユーザが予測行動をとらなかった場合に、予測行動をとらなかったと判定してもよい。
【０００８】
これにより、ユーザが予測行動をとらなかったか否かを適切に判定することができる。なお、判定の基準は一律とするのではなく、予測行動に応じて変えることとしてもよい。例えば、信号のない横断歩道における一時停止については、比較的短時間で行動をとらかなったことの判定を行い、トンネル内でのライト点灯については、トンネルを通過した後に初めて行動をとらなかったことの判定を行う等のように、行動内容に応じて、判定基準を変えてもよい。
【０００９】
本発明の情報提示装置は、ユーザが行うことが望ましい行動であるとしてあらかじめ設定された規範的行動を記憶した規範的行動記憶部と、前記判定部にて、ユーザが前記予測行動をとらなかったと判定されたときに、その行動が前記規範的行動記憶部に記憶された規範的行動であるか否かを判定する第２の判定部とを備え、前記通知部は、前記第２の判定部にて、ユーザがとらなかった行動が前記規範的行動であると判定されたときに前記通知を行い、前記規範的行動でないと判定されたときに前記通知を行わないようにしてもよい。
【００１０】
この構成により、ユーザがとらなかった予測行動が規範的行動であるときには、行動をとっていないことをユーザに通知し、普段行っている規範的行動を継続して行うよう注意を喚起することができる。ここで、「規範的行動」とは、義務付けられてはいないが、ユーザが行うことが望ましいと考えられる行動である。例えば、（１）ユーザの行動の中で節約に結びつく行動、（２）ユーザ個人を快適にする行動、（３）ユーザ個人の秘密を守る行動、（４）行わなかった場合にユーザに個人的な不利益が生じる可能性のある行動がこれに該当する。規範的行動に該当するかは運用者によって判断され、規範的行動に該当する行動のデータは規範的行動記憶部にあらかじめ記憶されている。
【００１１】
本発明の情報提示装置は、前記第２の判定部にて、ユーザがとらなかった行動が前記規範的行動ではないと判定されたときに、ユーザの操作対象の装置に対して、ユーザがとらなかった行動に対応して実行される操作を実行するための制御信号を送信する機器制御部を備えてもよい。
【００１２】
この構成により、ユーザがとらなかった行動が規範的行動ではない場合には、その行動に対応して行われる操作を自動的に実行できるので、利便性を高めることができる。
【００１３】
本発明の情報提示装置は、ユーザが必ず行うべき行動であるとあらかじめ設定された必須行動を状況に関連付けて記憶した必須行動記憶部と、ユーザが前記必須行動記憶部に記憶された必須行動を行ったか否かを判定する第３の判定部とを備え、前記通知部は、前記第３の判定部にてユーザが前記必須行動をとらなかったと判定されたときに、ユーザに対して、その旨を通知してもよい。
【００１４】
この構成により、必須行動をとらなかった場合に、必須行動をとるようにユーザに学習させることができる。ここで、「必須行動」とは、個々のユーザに依存せず、だれもが必ず行うべき行動である。例えば、（１）法律等の規制事項、（２）行動しなかったことで、人命、怪我等があり得る行動、（３）業務等の行動においてマニュアル化された必ずやるべき行動がこれに該当する。必須行動に該当するかは運用者によって判断され、必須行動に該当する行動のデータは必須行動記憶部にあらかじめ記憶されている。  
【００１５】
本発明の情報提示装置は、前記履歴記憶部に記憶された行動履歴のデータを出力する履歴出力部を備えてもよい。前記履歴出力部は、ユーザを特定する情報と共に、前記行動履歴のデータをセンター装置に送信してもよい。
【００１６】
この構成により、履歴記憶部に蓄積されたユーザの行動履歴を分析でき、様々な用途に利用することができる。
【００１７】
本発明の情報提示方法は、ユーザの行動を検知する行動検知部と、状況を検知する状況検知部と、状況とユーザの行動とを対応付けて行動履歴を記憶した履歴記憶部とを有する情報提示装置において情報を提示する方法であって、前記状況検知部にて検知した現在の状況と前記履歴記憶部に記憶された行動履歴とに基づいて、ユーザが次に行う行動を予測するステップと、前記行動検知部からの検知情報に基づいて、ユーザが前記行動予測部にて求めた予測行動をとったか否かを判定するステップと、ユーザが前記予測行動をとらなかったと判定されたときに、ユーザに対して、その旨を通知するステップとを備える。
【００１８】
この構成により、ユーザが普段行っている行動をとらなかったことを知らせ、ユーザに学習させることができる。また、本発明の情報提示装置の各種の構成を、本発明の情報提示方法に適用することも可能である。
【００１９】
本発明のプログラムは、ユーザの行動を検知する行動検知部と、状況を検知する状況検知部と、状況とユーザの行動とを対応付けて行動履歴を記憶した履歴記憶部とを有するコンピュータによって情報を提示させるためのプログラムであって、前記コンピュータに、前記状況検知部にて検知した現在の状況と前記履歴記憶部に記憶された行動履歴とに基づいて、ユーザが次に行う行動を予測するステップと、前記行動検知部からの検知情報に基づいて、ユーザが前記行動予測部にて求めた予測行動をとったか否かを判定するステップと、ユーザが前記予測行動をとらなかったと判定されたときに、ユーザに対して、その旨を通知するステップとを実行させる。
【００２０】
この構成により、ユーザが普段行っている行動をとっていないことを知らせ、ユーザに学習させることができる。また、本発明の情報提示装置の各種の構成を、本発明のプログラムに適用することも可能である。
【発明の効果】
【００２１】
本発明によれば、ユーザが予測行動をとらなかったときにその旨を通知することにより、ユーザが普段行っている行動をとらなかったことを知らせ、ユーザに学習させることができる。
【発明を実施するための最良の形態】
【００２２】
以下、本発明の実施の形態の情報提示装置について説明する。以下では、車両に搭載して用いられる情報提示装置を例として説明するが、本発明の情報提示装置は、車両に搭載される構成に限定されるものではない。
【００２３】
（第１の実施の形態）
図１は、第１の実施の形態の情報提示装置１の構成を示す図である。第１の実施の形態の情報提示装置１は、ドライバの行動を検知する行動検知部１０と、状況を検知する状況検知部１２とを有している。行動検知部１０は、例えば、ドライバを撮影する車内カメラ、ドライバによる運転操作内容を検知するための各種のセンサなどにより構成される。状況検知部１２は、例えば、車両の周辺を撮影するカメラ、現在の走行位置を求めるナビゲーション装置、車両の状態（速度、残燃料など）を検知するための各種のセンサなどにより構成される。
【００２４】
情報提示装置１は、行動検知部１０にて検知したドライバの行動を、その行動をとったときの状況に関連付けて記憶する履歴記憶部１４と、履歴記憶部１４に記憶された行動履歴と状況検知部１２にて検知した現在の状況とに基づいてドライバの行動を予測する行動予測部１６とを有している。
【００２５】
図２（ａ）は、履歴記憶部１４に記憶されたドライバの行動履歴のデータの例を示す図である。履歴記憶部１４には、行動履歴を取得した日時および状況に対応付けて行動の履歴が記憶されている。図２（ａ）では、車両に対する操作をドライバの行動として記録した例を記載しているが、例えば、ドライバが左右の安全確認を行なったなどの車両に対する操作以外の行動を記憶することとしてもよい。
【００２６】
行動予測部１６は、履歴記憶部１４に記憶された行動履歴のデータと、状況検知部１２にて検知した現在の状況とに基づいてドライバの次の行動を予測する機能を有する。本明細書では、行動予測部１６によって予測されたドライバの行動を「予測行動」という。
【００２７】
図２（ｂ）は、履歴記憶部１４に記憶されたデータを参照して予測行動を求める例を示す図である。行動予測部１６は、図２（ｂ）に示すように、行動履歴のデータから、所定の状況において所定の行動を実行した割合を求める。そして、その割合が所定の閾値（例えば６０％）を超えた場合にドライバが行うと予測される予測行動と判定し、閾値以下の場合には予測行動ではないと判定する。例えば、図２（ｂ）に示す例では、トンネル進入したときにライトを点灯した割合は、３０回／４８回であり、６２．５％であるので、トンネル進入時にライトを点灯する行動は、予測行動であると判定される。
【００２８】
情報提示装置１は、ドライバが予測行動を行ったか否かを判定する第１判定部１８と、予測行動を行わなかった場合にその予測行動が規範的行動であるか否かを判定する第２判定部２０とを有している。また、情報提示装置１は、第２判定部２０にて予測行動が規範的行動であると判定された場合にその行動を行っていないことを通知する通知部２４と、予測行動が規範的行動ではないと判定された場合に予測行動に基づく操作を車両機器４０に指示する機器制御部２６とを有している。
【００２９】
第１判定部１８は、行動予測部１６にて求めた予測行動のデータを取得する。そして、行動検知部１０で検知した行動のデータに基づいて、ドライバが予測行動をとったか否かを判定する。ドライバが予測行動をとったか否かの判定は、予測行動に対応する状況を検知してから所定の期間に予測行動をとったか否かを判定する。所定の期間は、あらかじめ設定した時間（例えば５秒）としてもよいし、予測行動に関連付けられた状況が止むまでの間としてもよい。ドライバが予測行動をとらなかった場合には、第１判定部１８は、その判定結果を第２判定部２０に通知する。
【００３０】
第２判定部２０は、ドライバがとらなかった予測行動が規範的行動であるか否かを規範的行動記憶部２２に記憶されたデータに基づいて判定する。
【００３１】
図３は、規範的行動記憶部２２に記憶されたデータの例を示している。規範的行動とは、法令等によって規定されているわけではないが、なるべく行った方がよい行動である。規範的行動のデータは、あらかじめシステムの運用者によって設定される。規範的行動記憶部２２には、状況と行動とが関連付けて記憶されている。なお、図３に記載された「外部の明るさ」を測定するには、カメラで撮影した画像の明るさを用いてもよいし、照度計を用いてもよい。
【００３２】
第２判定部２０は、規範的行動記憶部２２に記憶されたデータを参照して、ドライバがとらなかった予測行動が規範的行動に合致するか否かを判定する。この結果、予測行動が規範的行動である場合には、その旨を通知部２４に通知する。これを受けて、通知部２４は、ドライバに対して、規範的行動を行っていない旨を通知する。ドライバへの通知は、例えば音声メッセージや画面表示によって行う。
【００３３】
第２判定部２０による判定の結果、予測行動が規範的行動でない場合には、予測行動に関連付けられた操作があるか否かをさらに判定する。ユーザの行動には、例えば、音楽の再生やエアコンの温度調整のような車両機器４０の操作に関係のある行動と、左右を見て安全確認をするというような車両機器４０の操作とは関係のない行動とがある。第２判定部２０は、予測行動がどちらのタイプの行動に該当するかを判定し、車両機器４０の操作に関係のある行動であると判定した場合には、予測行動によって操作されるはずであった機器を特定し、機器制御部２６に対して、特定された機器の操作内容のデータを渡す。機器制御部２６は、第２判定部２０から渡されたデータに基づいて、車両機器４０に対して制御信号を送信する。
【００３４】
なお、図１における行動予測部１６、第１判定部１８、第２判定部２０、通知部２４はソフトウェアによって構成してもよく、ソフトウェアによって構成する場合、上記各構成が行う処理を実行するプログラムも本発明の範囲に含まれる。
【００３５】
次に、第１の実施の形態の情報提示装置１の動作について説明する。情報提示装置１は、常時、行動検知部１０にてドライバの行動を検知すると共に、状況検知部１２にて状況を検知し、ドライバのとった行動を行動履歴記憶部１４に記憶していく。
【００３６】
図４は、情報提示装置１にて、情報の提示を行う動作を示す図である。情報提示装置１は、状況検知部１２にて現在の状況を検知し（Ｓ１０）、検知した状況に基づいてドライバの行動を予測する（Ｓ１２）。
【００３７】
次に、情報提示装置１は、行動検知部１０にてドライバの行動を検知し、第１判定部１８にて、ドライバが予測行動をとったか否かを判定する（Ｓ１４）。ドライバが予測行動をとったと判定されたときには（Ｓ１４でＹＥＳ）、情報提示装置１は、ドライバに対して情報を提示しないで状況検知のステップＳ１０に戻る。
【００３８】
第１判定部１８での判定の結果、ドライバが予測行動をとらなかったと判定されたときには（Ｓ１４でＮＯ）、情報提示装置１の第２判定部２０は、ドライバがとらなかった予測行動が規範的行動であるか否かを判定する（Ｓ１６）。この判定の結果、予測行動が規範的行動である場合には（Ｓ１６でＹＥＳ）、情報提示装置１は、ドライバが予測行動を行っていないことを通知する（Ｓ１８）。
【００３９】
第２判定部２０での判定の結果、予測行動が規範的行動ではないと判定された場合には（Ｓ１６でＮＯ）、予測行動が車両機器４０への操作であるか否かを判定する（Ｓ２０）。予測行動が車両機器４０への操作である場合には（Ｓ２０でＹＥＳ）、機器制御部２６に対して車両機器４０の操作内容を通知し、これを受けて、機器制御部２６は車両機器４０の制御を行う制御信号を送信する（Ｓ２２）。予測行動が車両機器４０への操作でない場合には（Ｓ２０でＮＯ）、情報提示装置１は、状況検知のステップＳ１０に戻る。以上、第１の実施の形態の情報提示装置１の構成および動作について説明した。
【００４０】
本実施の形態の情報提示装置１は、ドライバがとらなかった行動が規範的行動であるか否かを判定し、規範的行動である場合にドライバに対して、予測される行動をとらなかったことを通知する。これにより、ドライバに対して、規範的行動をとらなかったことの注意を喚起し、規範的行動をとるように仕向けることができる。
【００４１】
また、本実施の形態の情報提示装置１は、規範的行動をとらなかった場合に常にドライバに対して通知をするのではなく、過去の行動履歴から予測される行動の中で規範的行動にあてはまる行動をとらなかった場合に通知を行うので、ドライバに対して規範的行動を押しつけることなく、ドライバが普段行っている規範的行動を定着させる学習を行える。
【００４２】
また、本実施の形態の情報提示装置１は、ドライバがとらなかった行動が規範的行動ではない場合には、その行動に対応する操作を車両機器４０に指示するので、自動的に車両機器４０の制御が行われ、利便性が高まる。
【００４３】
（第２の実施の形態）
図５は、本発明の第２の実施の形態の情報提示装置２の構成を示す図である。第２の実施の形態の情報提示装置２は、第１の実施の形態の情報提示装置１の構成に加え、ドライバが必須行動を行なったか否かを判定する第３判定部２８を備えている。第３判定部２８には、必須行動記憶部３０が接続されている。
【００４４】
図６は、必須行動記憶部３０に記憶されたデータの例を示す図である。必須行動記憶部３０は、ドライバが必ず行うべき行動が状況に関連付けて記憶されている。必須行動記憶部３０に記憶される行動の例としては、例えば、交通法規によって定められたドライバが遵守すべき行動や、安全運転を行う上で行うべき行動である。これらの必須行動は、システムの運用者によって設定される。図６に示す例では、右左折時にウインカーを出す行動や、交差点や踏切の通過の際に左右の安全確認を行う行動が必須行動として記憶されている。
【００４５】
第３判定部２８は、状況検知部１２から現在の状況のデータを取得し、取得した状況に対応する必須行動を必須行動記憶部３０から読み出す。第３判定部２８は、読み出した必須行動をドライバが行なったか否かを、行動検知部１０で検知した行動のデータに基づいて判定する。第３判定部２８は、ドライバが必須行動を行わなかったと判定した場合には、その旨を通知部２４に通知する。通知部２４は、ドライバに対して、必須行動を行っていない旨を通知する。
【００４６】
次に、第２の実施の形態の情報提示装置２の動作について説明する。第２の実施の形態の情報提示装置２は、第１の実施の形態の情報提示装置１と同様に、ドライバが予測行動をとらなかった場合に、その予測行動が規範的行動であるか否かを判定し、規範的行動である場合に規範的行動をとっていない旨の通知を行う。第２の実施の形態の情報提示装置１では、この動作と並行して、ドライバが必須行動を行なったか否かを判定する動作を行う。
【００４７】
図７は、第２の実施の形態の情報提示装置２の必須行動の通知に関する動作を示す図である。情報提示装置２は、状況検知部１２にて現在の状況を検知し（Ｓ３０）、検知した状況のデータを第３判定部２８に渡す。第３判定部２８は、現在の状況に対応する必須行動を必須行動記憶部３０から読み出す（Ｓ３２）。第３判定部２８は、行動検知部１０で検知した行動のデータに基づいて、ドライバが必須行動を行なったか否かの判定を行う（Ｓ３４）。ドライバが必須行動を行なったと判定された場合には（Ｓ３４でＹＥＳ）、情報提示装置２は、状況を検知するステップＳ３０に戻る。ドライバが必須行動を行わなかったと判定された場合には（Ｓ３４でＮＯ）、第３判定部２８は、その判定結果を通知部２４に通知する。通知部２４は、ドライバが必須行動を行なっていない旨をドライバに対して通知する（Ｓ３６）。以上、第２の実施の形態の情報提示装置２の構成および動作について説明した。
【００４８】
第２の実施の形態の情報提示装置２では、ドライバが必須行動を行なったか否かを判定し、必須行動を行わなかった場合には、必須行動を行なっていない旨を通知するので、ドライバに対し、必須行動を行うべきことを学習させることができる。また、第３判定部２８は、第１判定部１８とは独立して構成しているので、ドライバが過去に習慣的に行っているか否かによらず、必須行動を行わなかった場合にドライバに通知できる。必須行動と規範的行動の性質の違いに応じて、異なる基準で適切に通知を行うことができる。
【００４９】
（第３の実施の形態）
図８は、本発明の第３の形態の情報提示装置３の構成の例を示す図である。第３の実施の形態の情報提示装置は、履歴記憶部１４に記憶された行動履歴のデータを履歴送信部３２からセンター装置４２に対して送信する。
【００５０】
図９は、第３の実施の形態の情報提示装置３の履歴記憶部１４に記憶されたデータの例を示す図である。履歴記憶部１４には、ドライバを特定する識別子のデータが記憶されている。ドライバを識別する識別子のデータは、ドライバ識別部３４にて識別した運転中のドライバの識子のデータを付加する。なお、ドライバ識別部３４は、各ドライバ専用に付与した鍵のどれが使用されているかを識別してドライバを識別してもよいし、シートの調整幅などからドライバを識別してもよい。
【００５１】
履歴送信部３２は、ドライバの識別子のデータと行動履歴のデータとを合わせてセンター装置４２に送信する。センター装置４２では、ドライバの行動履歴を収集することができる。これにより、センター装置４２にて収集したドライバの行動履歴を、例えば、安全運転のためのアドバイスや自動車保険料の算定など、様々な分析に用いることができる。
【００５２】
以上、本発明の情報提示装置について、実施の形態を挙げて詳細に説明したが、本発明は上記した実施の形態に限定されるものではない。
【００５３】
上記した実施の形態では、行動予測部１６は、図２（ｂ）に示したように、行動を実行した割合が閾値を越えるか否かによって行動の予測を行っているが、行動の予測のアルゴリズムはこれに限定されない。例えば、最近の履歴に重み付けをして行動の予測を行ってもよい。
【００５４】
上記した実施の形態において、ドライバへの通知方法をワークロードによって切り替えることとしてもよい。すなわち、ワークロードが高いと判定された場合には、画面表示のみでドライバへの通知を行い、ワークロードが低いと判定された場合には、画面表示と音声メッセージの両方で通知を行ってもよい。ワークロードの推定方法としては、例えば、視線がどの程度動いているか、運転状況（右左折中か、直線走行中か等）はどうか、ナビゲーション装置などからの指示が出ている最中か等の状況から操作系の負荷を求める方法や、ドライバの発汗状況、心拍数、体温等からドライバの緊張度を推定する方法がある。
【００５５】
上記した実施の形態では、車両に搭載して用いる例を挙げて説明したが、例えば、行動や状況を検知するためのセンサやカメラ等を家に設置し、ユーザに対する通知手段を携帯端末や家庭用のガス報知器等に持たせてもよい。この場合、例えば、電子ロックの閉め忘れや、ガスの切り忘れ、こたつの電源の切り忘れ等を規範的行動として、ユーザが普段行っているにもかかわらず忘れた場合には、携帯端末を通じてユーザに通知する。
【００５６】
図１０は、家庭用ガス報知器４を情報提示装置として用いた構成を示す図である。図１０では記載を省略しているが、家庭用ガス報知器４は、ガス漏れを検出して報知する機能を有している。
【００５７】
図１１（ａ）は必須行動記憶部３０ａに記憶されたデータを示す図、図１１（ｂ）は規範的行動記憶部２２ａに記憶されたデータを示す図、図１１（ｃ）は履歴記憶部１４ａに記憶されたデータを示す図である。
【００５８】
家庭用ガス報知器４の状況検知部１２は、ガスコンロ５０や給湯器５２の運転状況や、照明機器やテレビなどの他の機器の運転状況等のデータを受信し、受信データに基づいて状況を検知する。例えば、他の電気機器の電源がオフされた場合には、夜であれば就寝すると判断でき、昼であれば外出すると判断できる。
【００５９】
行動検知部１０は、ガスコンロ５０や給湯器５２に対する行動を検知する。例えば、ガスコンロ５０を点火したことを検知したり、給湯器５２の電源をオンしたことを検知したりする。
【００６０】
家庭用ガス報知器４の基本的な動作は、上記した実施の形態と同じである。家庭用ガス報知器４は、行動予測部１６にてユーザの行動を予測し、第１判定部１８にて予測した行動を行ったか否かを判定し、予測行動をとらなかったときに第２判定部２０にて予測行動が規範的行動か否かを判定し、規範的行動である場合に通知を行う。また、第３判定部２８にて、ユーザが必須行動をとったか否かを判定し、必須行動をとらなかった場合に、通知を行う。この構成により、ガスコンロ５０や給湯器５２に対して行うべき操作を忘れているときに通知を行い、例えば、火元の確認等の習慣を学習させることができる。
【産業上の利用可能性】
【００６１】
以上説明したように、本発明によれば、ユーザが普段行っている行動をとっていないことを知らせ、ユーザに学習させることができるという効果を有し、車両等においてユーザに対して情報を提示する装置等として有用である。
【図面の簡単な説明】
【００６２】
【図１】第１の実施の形態の情報提示装置の構成を示す図である。
【図２】（ａ）履歴記憶部に記憶されたデータの例を示す図である。（ｂ）履歴記憶部に記憶されたデータを参照して予測行動を求める例を示す図である。
【図３】規範的行動記憶部に記憶されたデータの例を示す図である。
【図４】第１の実施の形態の情報提示装置の動作を示す図である。
【図５】第２の実施の形態の情報提示装置の構成を示す図である。
【図６】必須行動記憶部に記憶されたデータの例を示す図である。
【図７】第２の実施の形態の情報提示装置の動作を示す図である。
【図８】第３の形態の情報提示装置の構成を示す図である。
【図９】第３の実施の形態の履歴記憶部に記憶されたデータの例を示す図である。
【図１０】家庭用ガス報知器を情報提示装置とした構成を示す図である。
【図１１】（ａ）必須行動記憶部に記憶されたデータの例を示す図である。（ｂ）規範的行動記憶部に記憶されたデータの例を示す図である。（ｃ）履歴記憶部に記憶されたデータの例を示す図である。
【符号の説明】
【００６３】
１，２，３  情報提示装置
４  家庭用ガス報知器
１０  行動検知部
１２  状況検知部
１４  履歴記憶部
１６  行動予測部
１８  第１判定部
２０  第２判定部
２２  規範的行動記憶部
２４  通知部
２６  機器制御部
２８  第３判定部
３０  必須行動記憶部
３２  履歴送信部
３４  ドライバ識別部
４０  車両機器
４２  センター装置
５０  ガスコンロ
５２  給湯器
【図１】
2010185932.tif 000003
【図２】
2010185932.tif 000004
【図３】
2010185932.tif 000005
【図４】
2010185932.tif 000006
【図５】
2010185932.tif 000007
【図６】
2010185932.tif 000008
【図７】
2010185932.tif 000009
【図８】
2010185932.tif 000010
【図９】
2010185932.tif 000011
【図１０】
2010185932.tif 000012
【図１１】
2010185932.tif 000013